(57)【要約】      （修正有）【課題】肘掛け機能と負担のない歩行補助機能を兼ね備えた立ち上がり歩行補助肘掛けを提供する。【解決手段】立ち上がり歩行補助肘掛けは、それぞれに棒体を折り曲げて形成された主筐体１０と、つかみ筐体２０と、後支持筐体３０と、前支持筐体４０とを含み、主筐体がその頂部に横設された第一手すり１１と、下方へ延びた二つの立ち棒１３とを含み、つかみ筐体が二つの立ち棒の上段に結合され、且つその両端が後側へ折り曲げられてつかみ部２４を形成し、後支持筐体と前支持筐体が二つの立ち棒の上段に結合され、且つそれぞれの両端がそれぞれ後側と前側へ折り曲げられて水平支持脚３４とキャスター支持脚４４を形成し、各キャスター支持脚にはキャスターが設けられる。【選択図】図１
0003212285.tif 000002
【実用新案登録請求の範囲】
【請求項１】
直立した肘掛け枠組と、この側に設けられた該肘掛け枠組の下側に設けられて支持を形成する一組の支持枠組を含み、該肘掛け枠組に少なくとも把持するための一つの第一手すりが設けられた歩行補助肘掛けにおいて、
該肘掛け枠組が棒体を折り曲げて形成された主筐体とつかみ筐体とを含み、該主筐体が略コの字型に呈し、その頂部に横設された該第一手すりと、下方へ延びた二つの立ち棒とを含み、該つかみ筐体が該二つの立ち棒の上段に結合され、且つ該つかみ筐体に該主筐体の後方へ延出した二つのつかみ部が設けられ、
該支持枠組が棒体を折り曲げて形成された後支持筐体と前支持筐体とを含み、該後支持筐体と該前支持筐体が該二つの立ち棒の下段に結合され、該後支持筐体に該主筐体の後方へ延出した二つの水平支持脚が設けられ、該前支持筐体に該主筐体の前方へ延出した二つのキャスター支持脚が設けられ、該キャスター支持脚にキャスターが設けられたことを特徴とする立ち上がり歩行補助肘掛け。
【請求項２】
該つかみ筐体がコの字型のフレーム部によって該二つの立ち棒の該上段に結合され、該第一手すりの下方に横設された第二手すりを含み、且つ該二つのつかみ部が該コの字型のフレーム部の両端から該主筐体の後方へ折り曲げられて延出したことを特徴とする請求項１に記載の立ち上がり歩行補助肘掛け。
【請求項３】
該立ち棒の該上段に垂直に配列された複数のロック孔が穿設され、該つかみ筐体が選択的にどれか一つの該ロック孔に繋止されて結合可能になるようにし、該つかみ筐体の該コの字型のフレーム部が正立状態又は倒立状態で該二つの立ち棒に結合されたことを特徴とする請求項２に記載の立ち上がり歩行補助肘掛け。
【請求項４】
該後支持筐体がそれぞれにコの字型のフレーム部によって該二つの立ち棒の該下段に結合され、該後支持筐体が該第二手すりの下方に横設された第三手すりを含み、且つ該二つの水平支持脚が該コの字型のフレーム部の両端から該主筐体の後方へ折り曲げられて延出し、該前支持筐体が該第三手すりの下方に横設された第四手すりを含み、且つ該二つのキャスター支持脚が該コの字型のフレーム部の両端から該主筐体の前方へ折り曲げられて延出したことを特徴とする請求項３に記載の立ち上がり歩行補助肘掛け。
【請求項５】
該後支持筐体が該二つの立ち棒の該下段の後側に結合され、該前支持筐体が該立ち棒の該下段の内側に枢設され、該前支持筐体が該二つの立ち棒の間に枢動させることで、該前支持筐体に延出された該二つのキャスター支持脚が選択的に該主筐体の前側又は後側に枢動させることを特徴とする請求項１〜４のいずれか一項に記載の立ち上がり歩行補助肘掛け。
【請求項６】
各該立ち棒には、該下段にさらに内側へ該前支持筐体を係止して位置決めするためのホゾが凸設されたことを特徴とする請求項５に記載の立ち上がり歩行補助肘掛け。
【請求項７】
該前支持筐体には該ホゾに対応する箇所にそれぞれに係止溝が凹設されたことを特徴とする請求項６に記載の立ち上がり歩行補助肘掛け。
【請求項８】
該二つの立ち棒がそれぞれに該上段と該下段の間に折曲段が設けられたことを特徴とする請求項７に記載の立ち上がり歩行補助肘掛け。
【請求項９】
各該水平支持脚にさらに防滑スリーブが覆設されたことを特徴とする請求項８に記載の立ち上がり歩行補助肘掛け。
【請求項１０】
該第一手すり、該第二手すり、該第三手すり、該第四手すり、及び該二つのつかみ部には、さらに保護用スリーブが覆設されたことを特徴とする請求項１に記載の立ち上がり歩行補助肘掛け。
【考案の詳細な説明】
【技術分野】
【０００１】
本考案は立ち上がり歩行補助装置に関し、特に多目的に用いられる立ち上がり歩行補助肘掛けに関する。
【背景技術】
【０００２】
歩行補助器は、高齢者や障害による歩行弱者の歩行を補助する器具であり、体の重量を支え、歩行の時に脚部の負担を軽減するように、使用者を協力しているものである。現在市場によく販売されている歩行補助器は、例え、台湾実用新案登録第Ｍ４８１７２４号公報に示すように、基本的に両側の支持枠と前側の連接杆からなる後側が開放型の構成であり、使用者が歩行補助器を前方に移動して後方から歩行補助器の方へ前進させることによって、歩行補助効果を奏する。しかしながら、このような歩行補助器は絶え間なく移動させることは必要であるので、それでも使用上に負担をかけ、さらに枠体の体積が比較的に大きく、持運びも収納展開もかなり不便である。
【０００３】
なお、台湾実用新案登録第Ｍ４４０７７７号公報に示すように、肘掛けとして使用される複合式立ち上がり（歩行）補助器も提供され、簡易な構成で多様化の肘掛け機能を果たすが、歩行補助の使用にただ使用者の一横側から支持され、身体の中心をとるように使用者が追加的に努力する必要はあり、歩行補助器を移動する際に、容易に使用者の重心偏位で支持されることができず、さらに傷が付けられる。
【０００４】
この点に鑑みて、本考案者は高齢者の比率が日々に増加する社会形態を考え、高齢者介護設備の研究と設計に対し鋭意検討した結果、本考案の立ち上がり歩行補助肘掛けを提案し、消費者の使用に提供する。
【先行技術文献】
【特許文献】
【０００５】
【特許文献１】台湾実用新案登録第Ｍ４４０７７７号公報
【考案の概要】
【考案が解決しようとする課題】
【０００６】
本考案の主な目的は、多機能で、バランスが良く、移動使用の必要がない立ち上がり歩行補助肘掛けを提供することにあり、前側キャスターの設計により、使用者が前進しようとする場合、受けられる支持力が自然に前側キャスターの箇所に転移し、そして気楽に移動することができ、使用上に負担をかかることがない。
【０００７】
本考案のもう一つの目的は、金属の棒体を折り曲げて形成されたものを提供することにあり、全体的な構成が簡単且つ軽量であり、大幅に生産コストを減らすことができ、非常に高い適用性を有し、異なる取り付ける方法によって、全年齢階層と多くの異なるニーズが持つ患者に充分に適用される。さらに、本考案は枢動機制と合せ、体積を減らすように枢動して折り畳み、積載、遠距離の戸外使用に利し、優れた便利性を有する。
【課題を解決するための手段】
【０００８】
上述した目的を達成するために、本考案に係る立ち上がり歩行補助肘掛けは、直立した肘掛け枠組と、この側に設けられた該肘掛け枠組の下側に設けられて支持を形成する一組の支持枠組を含み、該肘掛け枠組に少なくとも把持するための一つの第一手すりが設けられた歩行補助肘掛けにおいて、該肘掛け枠組が棒体を折り曲げて形成された主筐体とつかみ筐体とを含み、該主筐体が略コの字型に呈し、その頂部に横設された該第一手すりと、下方へ延びた二つの立ち棒とを含み、該つかみ筐体が該二つの立ち棒の上段に結合され、且つ該つかみ筐体に該主筐体の後方へ延出した二つのつかみ部が設けられ、該支持枠組が棒体を折り曲げて形成された後支持筐体と前支持筐体とを含み、該後支持筐体と該前支持筐体が該二つの立ち棒の該上段に結合され、該後支持筐体に該主筐体の後方へ延出した二つの水平支持脚が設けられ、該前支持筐体に該主筐体の前方へ延出した二つのキャスター支持脚が設けられ、該キャスター支持脚にキャスターが設けられた。
【０００９】
これにより、移動していない時に、使用者が支えられる重心は、後側にあるつかみ部にいってしまい、水平支持脚を通じて地面に接触して確固な立ち止まりを形成し、使用者は前進しようとする場合に、使用者の重心が前へ傾くことに伴い、支持力が後側にある水平支持脚から徐々に前側にあるキャスター支持脚に移転すれば、すぐキャスターを通じて気楽に歩行補助肘掛けを移動させて前向きに滑動することができ、適当な距離を移動させた後、支持力が自然に後側にある水平支持脚に戻して立ち止まりを形成し、負担がかかない歩行補助の効果を奏する。
【００１０】
上記の立ち上がり歩行補助肘掛けにおいては、該つかみ筐体がコの字型のフレーム部によって該二つの立ち棒の該上段に結合され、該第一手すりの下方に横設された第二手すりを含み、且つ該二つのつかみ部が該コの字型のフレーム部の両端から該主筐体の後方へ折り曲げられて延出した。
【００１１】
上記の立ち上がり歩行補助肘掛けにおいては、該立ち棒の該上段に垂直に配列された複数のロック孔が穿設され、該つかみ筐体が選択的にどれか一つの該ロック孔に繋止されて結合可能になるようにし、該つかみ筐体の該コの字型のフレーム部が正立状態又は倒立状態で該二つの立ち棒に結合され、これにより、使用者の身長比例に応じて自由的に該つかみ部の高さを調整することができる。
【００１２】
上記の立ち上がり歩行補助肘掛けにおいては、該後支持筐体がそれぞれにコの字型のフレーム部によって該二つの立ち棒の該下段に結合され、該後支持筐体が該第二手すりの下方に横設された第三手すりを含み、且つ該二つの水平支持脚が該コの字型のフレーム部の両端から該主筐体の後方へ折り曲げられて延出し、該前支持筐体が該第三手すりの下方に横設された第四手すりを含み、且つ該二つのキャスター支持脚が該コの字型のフレーム部の両端から該主筐体の前方へ折り曲げられて延出し、これにより、多段の異なる高さを有する手すりを利用し、使用者の座りと立ち状態に変換可能の多機能肘掛けが構成される。
【００１３】
上記の立ち上がり歩行補助肘掛けにおいては、該後支持筐体が該二つの立ち棒の該下段の後側に結合され、該前支持筐体が該立ち棒の該下段の内側に枢設され、該前支持筐体が該二つの立ち棒の間に枢動させることで、該前支持筐体に延出された該二つのキャスター支持脚が選択的に該主筐体の前側又は後側に枢動させる。
【００１４】
上記の立ち上がり歩行補助肘掛けにおいては、各該立ち棒には、該下段にさらに内側へ該前支持筐体を係止して位置決めするためのホゾが凸設された。
【００１５】
上記の立ち上がり歩行補助肘掛けにおいては、該前支持筐体には該ホゾに対応する箇所にそれぞれに係止溝が凹設された。
【００１６】
上記の立ち上がり歩行補助肘掛けにおいては、該二つの立ち棒がそれぞれに該上段と該下段の間に折曲段が設けられ、これにより、応力を調節してより強固な構造が形成される。
【００１７】
上記の立ち上がり歩行補助肘掛けにおいては、各該水平支持脚にさらに防滑スリーブが覆設され、水平支持脚と地面に接触する摩擦力を向上するようにする。
【００１８】
上記の立ち上がり歩行補助肘掛けにおいては、該第一手すり、該第二手すり、該第三手すり、該第四手すり、及び該二つのつかみ部には、さらに保護用スリーブが覆設された。
【考案の効果】
【００１９】
本考案は従来の製品に比べ、下記の利点を有する。
１．歩行補助機能と立ち上がり肘掛け機能を兼ね備え、通常には、４段の異なる高さを有する手すりによって座る姿勢と立つ姿勢の変換に協力し、移動する時には、重心の転移によって負担がかかない歩行ができる。
２．構成が簡単であり、コストが低く、強度が高く、もっと安全な介護の提供ができる。
３．幅広い適用性があり、高齢者や障害による歩行弱者の患者に適用される他に、つかみ筐体を調整する取付方式によって、リハビリ用ラダーフレームに類似する性能ができ、幼児の身長を符合する又は脳性麻痺の患者が把握訓練や歩行訓練を行う使用の提供ができる。
４．枢動機制と合せ、体積を減らすことができ、自家用車のトランクに容易に入れ、遠距離の戸外使用のための持運びに利する。
【図面の簡単な説明】
【００２０】
【図１】本考案の好ましい実施例を示す斜面図である。
【図２】本考案の好ましい実施例を示す分解図である。
【図３】本考案の好ましい実施例のつかみ筐体が逆方向での結合状態を示す図である。
【図４】本考案のもう一つの好ましい実施例を示す斜面図である。
【図５】本考案のもう一つの好ましい実施例を示す分解図である。
【図６】本考案のもう一つの好ましい実施例が枢動されて折り畳まれた状態を示す図である。
【考案を実施するための形態】
【実施例】
【００２１】
本考案の上記の目的、特徴、及び効果を具体的に理解されるように、以下、本考案の好ましい実施例と添付図面を組み合わせて説明する。
【００２２】
図１及び図２を参照し、本考案の立ち上がり歩行補助肘掛けの一つの好ましい実施例について、その構成は肘掛け枠組１と支持枠組３の二つの部分を有し、肘掛け枠組１が主に直立した主筐体１０と、主筐体１０の上段に結合されたつかみ筐体２０とを含み、支持枠組３が主に主筐体１０の下段に結合された前支持筐体４０と後支持筐体３０とを含み、前支持筐体４０及び後支持筐体３０には、それぞれに前方、後方へ延出したキャスター支持脚４４及び水平支持脚３４が設けられた。
【００２３】
この実施例において、主筐体１０、つかみ筐体２０、前支持筐体４０、及び後支持筐体３０は、いずれも金属棒体を折り曲げて形成された。主筐体１０は略コの字型に呈し、その頂部に横設された第一手すり１１と、下方へ延びた二つの立ち棒１３とを含み、第一手すり１１には使用者が把握させるように保護用スリーブ１２が覆設され、各立ち棒１３の上段１３１には垂直に配列された複数のロック孔１４が穿設されたことにより、つかみ筐体２０が必要によって選択的に適切な高さの位置で結合可能になるようにし、且つ各立ち棒１３が上段１３１と下段１３２の間に支持強度を向上する折曲段１３３が設けられた。つかみ筐体２０は主筐体１０の後側より、コの字型のフレーム部２３によって倒立状態で二つの立ち棒１３の上段１３１に結合され、相対高さが第一手すり１１より低い第二手すり２１が形成され、且つ該コの字型のフレーム部２３の両端がそれぞれに外側（主筐体１０の後方）へ折り曲げられてつかみ部２４を延出した。後支持筐体３０は主筐体１０の後側より、コの字型のフレーム部３３によって二つの立ち棒１３の下段１３２に結合され、相対高さが第二手すり２１より低い第三手すり３１が形成され、且つ該コの字型のフレーム部３３の両端がそれぞれに外側（主筐体１０の後方）へ折り曲げられて水平支持脚３４を延出し、該二つの水平支持脚３４が両側へ広角度に延びることができ、もっと確固な支持能力を提供する。前支持筐体４０はコの字型のフレーム部４３によって二つの立ち棒１３の下段１３２の内側に結合され、相対高さが第三手すり３１より低い第四手すり４１が形成され、且つ該コの字型のフレーム部４３の両端がそれぞれに主筐体１０の前方へ折り曲げられてキャスター４５が設けられたキャスター支持脚４４を延出し、該二つのキャスター支持脚４４も両側へ広角度に延びることができ、確固性を向上する。
【００２４】
実用的な実施例において、第一手すり１１、第二手すり２１、第三手すり３１、第四手すり４１、及び二つのつかみ部２４には、いずれも使用者の把握に便利である保護用スリーブ１２、２２、３２、４２、２５が設けられ、各水平支持脚３４には防滑スリーブ３５が覆設され、それが圧力を受けられる時に地面との摩擦力を向上するようにし、位置決め効果を強化する。
【００２５】
なお、実際な使用の必要によって、つかみ筐体２０のコの字型のフレーム部２３も順方向に呈した状態で二つの立ち棒１３に結合可能であり（図３に示すように）、この時、突出されつかみ部２４は相対的につかみ筐体２０の底部の位置に位置され、前記の倒立状態の取付方式に対し、つかみ部２４の高さを大幅に下げられ、異なる必要がある使用者（例え、幼児、脳性麻痺の患者）に適用され、把握訓練や歩行訓練の補助器具とすることが可能である。
【００２６】
この実施例の立ち上がり歩行補助肘掛けによれば、通常には、使用者に対し立つ姿勢と座る姿勢を補助調整する肘掛けとして使用することは可能であり、移動する時には、直接に歩行補助器として使用することも可能であり、多機能用途を形成する。さらに、使用者は前進しようとする場合、押さえつける作用力は前側のキャスター支持脚４４に転移される時、後側の水平支持脚３４に働く摩擦力は低減され、キャスター４５に通じて気楽に立ち上がり歩行補助肘掛けを移動させて前進することができ、適当な距離を移動させた後、押さえつける作用力は自然に後側の水平支持脚３４に転移され、水平支持脚３４に働く摩擦力は増加して位置決めを形成し、これにより、運搬をせずに負担がかかない歩行補助の効果を奏する。
【００２７】
また、図４及び図５を参照し、本考案のもう一つの好ましい実施例を示す図であり、その主な構成は前記の実施例と類似し、同じように肘掛け枠組１にある主筐体１０とつかみ筐体２０とを含み、及び支持枠組３にある前支持筐体４０と後支持筐体３０とを含んた。主筐体１０、つかみ筐体２０、前支持筐体４０、及び後支持筐体３０は、いずれも金属棒体を折り曲げて形成された。主筐体１０は略コの字型に呈し、その頂部に横設された第一手すり１１と、下方へ延びた二つの立ち棒１３とを含み、第一手すり１１には保護用スリーブ１２が覆設され、各立ち棒１３の上段１３１には、つかみ筐体２０が選択的に結合可能になるように垂直に配列された複数のロック孔１４が穿設され、且つ各立ち棒１３が上段１３１と下段１３２の間に支持強度を向上する折曲段１３３が設けられた。つかみ筐体２０は主筐体１０の後側より、コの字型のフレーム部２３によって倒立状態で二つの立ち棒１３の上段１３１に結合され、相対高さが第一手すり１１より低い第二手すり２１が形成され、且つ該コの字型のフレーム部２３の両端がそれぞれに外側（主筐体１０の後方）へ折り曲げられてつかみ部２４を延出した。後支持筐体３０は主筐体１０の後側より、コの字型のフレーム部３３によって二つの立ち棒１３の下段１３２に結合され、相対高さが第二手すり２１より低い第三手すり３１が形成され、且つ該コの字型のフレーム部３３の両端がそれぞれに外側（主筐体１０の後方）へ折り曲げられて水平支持脚３４を延出し、該二つの水平支持脚３４が両側へ広角度に延びることができ、もっと確固な支持能力を提供する。前支持筐体４０はコの字型のフレーム部４３によって二つの立ち棒１３の下段１３２の内側に結合され、相対高さが第三手すり３１より低い第四手すり４１が形成され、且つ該コの字型のフレーム部４３の両端がそれぞれに主筐体１０の前方へ折り曲げられてキャスター４５が設けられたキャスター支持脚４４を延出した。
【００２８】
この実施例において、前支持筐体４０は枢設連接の方式で二つの立ち棒１３の内側に結合され、前支持筐体４０の外側へ延出された二つのキャスター支持脚４４は両側へ延びた状態を呈することなく、前支持筐体４０は該二つの立ち棒１３の間に枢動させて作動し、前支持筐体４０に延出された二つのキャスター支持脚４４は主筐体１０の後側まで枢動させることができ（図６にしめすように）、これにより、枢動して折り畳む状態を形成し、体積を減らして滞りなく自家用車のトランクに容易に入れ、遠距離の戸外使用のための持運びに利する。
【００２９】
なお、各立ち棒１３の下段１３２には、さらに適切な位置に前支持筐体４０が枢動される角度を係止して位置決めするためのホゾ１５が設けられたことは可能であり、使用時に転動が発生したことで支持できない問題を避ける。この実施例において、立ち棒１３の下段１３２の枢設連接位置にホゾ１５が凸設され、且つ前支持筐体４０において対応する箇所に係止溝４３１が凹設され、ホゾ１５と係止溝４３１とが係合を形成させた時に、キャスター支持脚４４は前側の支持位置に位置決めされ、支持して使用する際にキャスター支持脚４４が上方に転動しないことを確保する。
【００３０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３１】
１  肘掛け枠組
１０  主筐体
１１  第一手すり
１２  保護用スリーブ
１３  立ち棒
１３１  上段
１３２  下段
１３３  折曲段
１４  ロック孔
１５  ホゾ
２０  つかみ筐体
２１  第二手すり
２２  保護用スリーブ
２３  コの字型のフレーム部
２４  つかみ部
２５  保護用スリーブ
３  支持枠組
３０  後支持筐体
３１  第三手すり
３２  保護用スリーブ
３３  コの字型のフレーム部
３４  水平支持脚
３５  防滑スリーブ
４０  前支持筐体
４１  第四手すり
４２  保護用スリーブ
４３  コの字型のフレーム部
４３１  係止溝
４４  キャスター支持脚
４５  キャスター
【図１】
0003212285.tif 000003
【図２】
0003212285.tif 000004
【図３】
0003212285.tif 000005
【図４】
0003212285.tif 000006
【図５】
0003212285.tif 000007
【図６】
0003212285.tif 000008